(57)【要約】【課題】塗布具を直ぐに取り出して使用でき、また、保管時は塗布具をカバーしておくことができる塗布具付き容器を提案する。【解決手段】本発明の塗布具付き容器は、上部開口１２を有しその内側に内容物の充填空間Ｍを備える容器本体１０と、充填空間Ｍにつながる取り出し口２３を残して上部開口１２を覆う天壁２１を有し容器本体１０に装着される中栓２０と、中栓２０に覆い被さり容器本体１０に着脱自在に保持される蓋体３０とを備え、中栓２０は、蓋体３０との相互間に充填空間Ｍ内の内容物を掬い取る塗布具を収める収納空間Ｓを有し、天壁２１は、天壁２１上に載置される塗布具４０の取り出し口２３への移動を阻止する少なくとも１つの突起２４を備えることを特徴とする。【選択図】図１
2014008260.tif 000002
【特許請求の範囲】
【請求項１】
上部開口を有しその内側に内容物の充填空間を備える容器本体と、該充填空間につながる取り出し口を残して該上部開口を覆う天壁を有し該容器本体に装着される中栓と、該中栓に覆い被さり該容器本体に着脱自在に保持される蓋体とを備える容器において、
前記中栓は、前記蓋体との相互間に前記充填空間内の内容物を掬い取る塗布具を収める収納空間を有し、
該天壁は、該天壁上に載置される塗布具の前記取り出し口への移動を阻止する少なくとも１つの突起を備えることを特徴とする塗布具付き容器。
【請求項２】
前記塗布具は、へら状の本体部から突出させて設けた摘み部を有する請求項１に記載の塗布具付き容器。
【発明の詳細な説明】
【技術分野】
【０００１】
本発明は、例えばクリーム状やゲル状の内容物を収容する容器に関するものであり、特に、内容物を掬い取って対象物へ塗布する塗布具を備える塗布具付き容器に関する。
【背景技術】
【０００２】
容器に収容した、例えば、クリーム状やゲル状の内容物（化粧料等）を取り出すにあたっては、指で直接掬い取る他、へら状の塗布具（スパチュラとも言う）を用いることがある。そして、このような塗布具を容器と一緒に保管することができれば、内容物を塗布したい時に直ぐに塗布具を使用することができて利便性が高まることから、本出願人は、容器の側方に塗布具を保持することができる容器の付属品保持具を既に提案している（例えば特許文献１参照）。
【先行技術文献】
【特許文献】
【０００３】
【特許文献１】特開２００４−３３１１０５号公報
【発明の概要】
【発明が解決しようとする課題】
【０００４】
ところで、このような付属品保持具を用いる場合は、塗布具が容器の外側で保持されることになるので、塗布具の取り出しやすさの点では優れているものの、狭い場所では保管しづらくなることがあった。また、塗布具表面が常に露出することになることから、埃等の付着を避けるべく、保管時は塗布具をカバーしておきたいとの要望もあった。
【０００５】
本発明は、このような問題点を解決することを課題とするものであり、その目的は、容器と塗布具とを一緒にしておき塗布具を直ぐに取り出して使用でき、また、保管時は塗布具をカバーしておくことができる新たな塗布具付き容器を提案するところにある。
【課題を解決するための手段】
【０００６】
本発明は、上部開口を有しその内側に内容物の充填空間を備える容器本体と、該充填空間につながる取り出し口を残して該上部開口を覆う天壁を有し該容器本体に装着される中栓と、該中栓に覆い被さり該容器本体に着脱自在に保持される蓋体とを備える容器において、
前記中栓は、前記蓋体との相互間に前記充填空間内の内容物を掬い取る塗布具を収める収納空間を有し、
該天壁は、該天壁上に載置される塗布具の前記取り出し口への移動を阻止する少なくとも１つの突起を備えることを特徴とする塗布具付き容器である。
【０００７】
前記塗布具は、へら状の本体部から突出させて設けた摘み部を有することが好ましい。
【発明の効果】
【０００８】
中栓と蓋体との相互間に塗布具を収める収納空間を設けておくことで、蓋体を閉めると、内容物とともに塗布具をカバーすることができ、保管時に塗布具表面に埃等が付着するおそれがなくなる。また、塗布具を容器内に収納することができるので、狭い場所での保管がより行いやすくなる。さらに、中栓の天壁に設けた突起によって、天壁に設けた取り出し口へ塗布具が落下するのを防止でき、蓋体を開けると直ぐに塗布具を取り出して使用することができる。
【０００９】
塗布具に、本体部から突出する摘み部を設ける場合は、この摘み部を摘んで持ち上げることができるので、塗布具を取り出しやすくなる。
【図面の簡単な説明】
【００１０】
【図１】本発明に従う塗布具付き容器の実施形態を示す斜視図（蓋体を二点鎖線で示す）である。
【図２】図１に示す塗布具付き容器につき、（ａ）は平面図（蓋体は取り外して示す）であり、（ｂ）は軸線を境として側面図及び断面図を示す図である。
【発明を実施するための形態】
【００１１】
以下、図面を参照して、本発明をより具体的に説明する。
図１は、本発明に従う塗布具付き容器の実施形態を示す斜視図（蓋体を二点鎖線で示す）であって、図２は、図１に示す塗布具付き容器につき、（ａ）は平面図（蓋体は取り外して示す）であり、（ｂ）は軸線を境として側面図及び断面図を示す図である。
【００１２】
図１において符号１は、本発明に従う塗布具付き容器である。塗布具付き容器１（以下、「容器１」と言う）は、容器本体１０と、容器本体１０に装着される中栓２０と、中栓２０に覆い被さり容器本体１０に着脱自在に保持される蓋体３０とを備えている。また、符号４０は、塗布具である。
【００１３】
容器本体１０は、図２（ｂ）に示すように、本実施形態では円板状となる底壁１１の外縁に、上部を開口させた（上部開口１２）円筒状の側壁１３を一体連結している。また、底壁１１及び側壁１３にて取り囲まれる空間（充填空間Ｍ）には、内容物が収容される。
【００１４】
側壁１３の上部外周面には、図示の例ではねじ部１４を設けていて、さらにねじ部１４の上方には、係合部１５を設けている。
【００１５】
中栓２０は、上部開口１２を覆う円板状の天壁２１を備えている。天壁２１の外縁には、同心二重配置となる一対の環状壁を有するとともにこれらの上部同士を連結して設けた係合受け部２２を一体連結している。これにより中栓２０は、係合受け部２２の一対の環状壁間に形成される下向き開放の凹部空間に係合部１５を挿入させて、容器本体１０に保持されている。
【００１６】
天壁２１には、本実施形態では三日月形となる貫通孔２３が、天壁２１の端寄りに設けられていて、この貫通孔は、充填空間Ｍにつながる内容物の取り出し口として機能する。さらに天壁２１には、上部に向けて突出する少なくとも１つの突起２４が、天壁２１の中央寄りに設けられている。本実施形態において突起２４は、円柱状にて２つ設けられているが、形状及び個数は適宜変更することができる。
【００１７】
蓋体３０は、容器本体１０と略同形状となる円板状の頂壁３１と、頂壁３１の外縁から垂下される円筒状の外周壁３２とを備えていて、外周壁３２の内周面には、ねじ部１４に対応するねじ部３３が設けられている。これにより蓋体３０は、ねじ止めにて容器本体１０に着脱自在に保持される。なお、これらのねじ部１４、３３に代えてアンダーカットを設けて、蓋体３０を保持することもできる。また、中栓２０と蓋体３０との相互間には、塗布具４０を収める収納空間Ｓが形成される。
【００１８】
塗布具４０は、へら状となる本体部４１を備えている。本実施形態において本体部４１は、扁平な平板状で平面視が三日月形となっている。なお本体部４１は、平板状のものに限られず、掬った内容物を保持できるように下向きに湾曲していてもよい、また、その平面視での外形形状は、長方形状、楕円形状等、種々選択することができる。そして、本体部４１には、図示の例では、本体部４１から起立する柱体の上部に本体部４１に沿って片側に突出させて設けた、Ｌ字状の摘み部４２を備えている。なお、摘み部４２の形状は種々変更が可能であり、柱体の上部に本体部４１に沿って両側に突出させて設けたＴ字状となるものであっても、また、柱体の上部に本体部４１に沿って全周に亘って突出させて設けたものであっても、さらに、柱体のみを設けたものであってもよい。
【００１９】
上記のように構成される容器１は、図１に示すように、塗布具４０を天壁２１上に載置して保管する。天壁２１には突起２４が設けられているので、容器１の持ち運び等によって振動が加わっても、塗布具４０が取り出し口（貫通孔）２３へ落下してしまう不具合が防止できる。また、塗布具４０の使用後は、使用前と同様にして天壁２１上に載置し、蓋体３０を容器本体１０にねじ付けることで、塗布具４０をカバーすることができる。
【００２０】
また、図２（ｂ）に示すように、塗布具４０を、突起２４と係合受け部２２の内側の環状壁２２ａとの両方に当接するようにしてもよく、これにより塗布具４０が位置ずれすること無く保持される。
【産業上の利用可能性】
【００２１】
本発明によれば、容器と塗布具とを一緒にしておくことができるので使い勝手に優れ、また、保管時は塗布具をカバーしておくことができるので埃等の付着を効果的に防止でき、さらに、塗布具が中栓の取り出し口へ落下するのを防止することができる、新規の塗布具付き容器を提供できる。
【符号の説明】
【００２２】
１  容器（塗布具付き容器）
１０  容器本体
１２  上部開口
２０  中栓
２１  天壁
２３  貫通孔（取り出し口）
２４  突起
３０  蓋体
４０  塗布具
４１  本体部
４２  摘み部
Ｍ  充填空間
Ｓ  収納空間
【図１】
2014008260.tif 000003
【図２】
2014008260.tif 000004